(57)【要約】【課題】指針の輝度を確保することが可能な指針式計器を提供する。【解決手段】指針１が、第１の指針部１１と、第２の指針部１２と、第３の指針部１３とを有し、第１の指針部１１が棒状部１１１と、扇状部１１２と、第１の反射部１１７を有し、第１の指針部１１と第２の指針部１２との接続部１２１に第２の反射部１２２が設けられると共に、要部Ｔと第１の反射部１１７及び第２の反射部１２２の各中心点Ｐ１，Ｐ２が前記延長軸線上に位置してなる指針式計器において、要部Ｔを第１の反射部１１７の中心点Ｐ１と第２の反射部１２２の中心点Ｐ２との距離Ｌの半分（距離Ｌ１）以上、第１の中心点Ｐ１から離間させてなる。【選択図】図５
2009109409.tif 000002
【特許請求の範囲】
【請求項１】
表示部材と、
この表示部材の背後に配置され駆動軸を有する駆動装置と、
前記駆動軸に連結され前記表示部材に沿って軸周り回動する透光性材料からなる指針と、
この指針を照明する光源とを備え、
前記指針が、少なくとも前記表示部材の背面側を前記駆動軸と交差する第１の延長方向に延びる第１の指針部と、この第１の指針部の先端側から連続して前記第１の延長方向と交差する第２の延長方向に延びる第２の指針部と、この第２の指針部の先端側から前記第２の延長方向と交差する第３の延長方向に延び前記表示部材の前面側を回動する第３の指針部とを有し、
前記第１の指針部が前記第１の延長方向に沿った延長軸線に沿って延び前記第２の指針部に連なる棒状部と、前記延長軸線を中心線として且つ前記棒状部側が要部となるように前記第２の指針部側とは反対側に向けて延びる扇状部と、この扇状部の末広がり端部に形成され前記光源からの光を前記要部側に反射する第１の反射部を有し、
前記第１の指針部と前記第２の指針部との接続部に前記第１の反射部を通じて前記第１の延長方向に導かれた光を前記第２の延長方向に向けて反射する第２の反射部を設け、
前記要部と前記第１の反射部及び第２の反射部の各中心点が前記延長軸線上に位置してなる指針式計器において、
前記要部を前記第１の反射部の中心点と前記第２の反射部の中心点との距離の半分以上、前記第１の中心点から離間させてなることを特徴とする指針式計器。
【請求項２】
前記第１の反射部が前記駆動軸よりも前記第２の反射部側に位置することを特徴とする請求項１記載の指針式計器。
【発明の詳細な説明】
【技術分野】
【０００１】
本発明は、例えば自動車、オートバイ、船舶をはじめとする移動体に搭載される指針式計器に関し、特に表示部材を迂回するように屈曲する指針を備えた指針式計器に関する。
【背景技術】
【０００２】
この種の指針式計器としては、例えば下記特許文献１に記載されているものが知られている。この指針式計器は、液晶パネルからなる表示部材と、この表示部材の周囲を取り巻くように配置される目盛板と、この表示部材の背後に配置され駆動軸を有する駆動装置と、この駆動装置の駆動軸に連結され表示部材の背面側を通って目盛板の前面側に至る迂回形状を有し表示部材の背面側及び目盛板の前面側に沿って軸周り回動する指針とを備えている。
【０００３】
指針は、透光性合成樹脂かならり、表示部材の背面側を駆動軸と交差する第１の延長方向（水平方向）に延びる第１の指針部と、この第１の指針部の先端側から連続して第１の延長方向と交差する第２の延長方向（垂直方向）に延びる第２の指針部と、この第２の指針部の先端側から第２の延長方向と交差する第３の延長方向（水平方向）に延び表示部材の前面側を回動して目盛板上に形成された指標部を指示する第３の指針部とを有している。
【０００４】
第１の指針部は、この場合、駆動装置の駆動軸に連結されており、第１の延長方向に沿った延長軸線に沿って延び第２の指針部に連なる棒状部と、延長軸線を中心線として且つ棒状部側が要部となるように第２の指針部側とは反対側に向けて延びる扇状部と、この扇状部の末広がり端部に形成され光源からの光を要部側に反射する第１の反射部を有して構成されている。また第１の指針部と第２の指針部との接続部には、第１の反射部を通じて第１の延長方向に導かれた光を第２の延長方向に向けて反射する第２の反射部が形成され、要部と第１の反射部及び第２の反射部の各中心点が延長軸線上に位置してなる構成である。
【特許文献１】特開２００７−１２１１１２号公報
【発明の開示】
【発明が解決しようとする課題】
【０００５】
しかしながら、前記特許文献記載の指針式計器は、扇状部の構造について特に考慮されていなかたっため、表示部材を迂回するように屈曲する指針の末端部である第３の指針部に多くの光を導くことができず、第３の指針部を明るく照らすことが難しいという問題があった。
【０００６】
本発明は、この点に鑑みてなされたもので、その主な目的は、扇状部の構造を工夫することで、指針の輝度を確保することが可能な指針式計器を提供するものである。
【課題を解決するための手段】
【０００７】
本発明は、前記目的を達成するため、表示部材と、この表示部材の背後に配置され駆動軸を有する駆動装置と、前記駆動軸に連結され前記表示部材に沿って軸周り回動する透光性材料からなる指針と、この指針を照明する光源とを備え、前記指針が、少なくとも前記表示部材の背面側を前記駆動軸と交差する第１の延長方向に延びる第１の指針部と、この第１の指針部の先端側から連続して前記第１の延長方向と交差する第２の延長方向に延びる第２の指針部と、この第２の指針部の先端側から前記第２の延長方向と交差する第３の延長方向に延び前記表示部材の前面側を回動する第３の指針部とを有し、前記第１の指針部が前記第１の延長方向に沿った延長軸線に沿って延び前記第２の指針部に連なる棒状部と、前記延長軸線を中心線として且つ前記棒状部側が要部となるように前記第２の指針部側とは反対側に向けて延びる扇状部と、この扇状部の末広がり端部に形成され前記光源からの光を前記要部側に反射する第１の反射部を有し、前記第１の指針部と前記第２の指針部との接続部に前記第１の反射部を通じて前記第１の延長方向に導かれた光を前記第２の延長方向に向けて反射する第２の反射部を設け、前記要部と前記第１の反射部及び第２の反射部の各中心点が前記延長軸線上に位置してなる指針式計器において、前記要部を前記第１の反射部の中心点と前記第２の反射部の中心点との距離の半分以上、前記第１の中心点から離間させてなることを特徴とする
【０００８】
また本発明は、前記第１の反射部が前記駆動軸よりも前記第２の反射部側に位置することを特徴とする
【発明の効果】
【０００９】
本発明によれば、初期の目的を達成でき、指針の輝度を確保することが可能な指針式計器を提供することができる。
【発明を実施するための最良の形態】
【００１０】
図１から図５は、本発明の一実施形態を示すもので、図１は指針式計器の正面図、図２は図１のＡ−Ａ断面図、図３は指針の断面図、図４は遮光性カバーを装着した状態の第１の指針部を示す正面図、図５は遮光性カバーを外した状態の第１の指針部を示す正面図である。
【００１１】
本実施形態による指示計器は、例えば自動車のダッシュボードに搭載されるコンビネーションメータからなるもので、図１に示すように、異なる種類の計測値を表示する三つの指針式表示部を横一列に配列してなり、全体の外形形状は略蒲鉾形である。なお図１では中央に位置する指針式表示部ＰＤ１のみ詳細に示し、両脇に位置する指針式表示部ＰＤ２，３は、一点鎖線にて示す。
【００１２】
各指針式表示部ＰＤ１〜ＰＤ３は、表示するコンテンツ（計測値の種類等）が異なるだけでその機械的構成は基本部分で一致しており、指針式表示部ＰＤ１を代表として図２に示すように、指針１と表示ユニットＵ（表示部材）とにより構成されている。
【００１３】
これら指針１と表示ユニットＵの前方には、遮蔽部材（見返し部材またはマスク部材）２が配置され、この遮蔽部材２は、例えば遮光性の合成樹脂材料（例えば黒色）からなり、指針式表示部ＰＤ１〜ＰＤ３の所要部を露出し、不要部を隠蔽する開口が形成されている。
【００１４】
遮蔽部材２の前方には、例えば透光性の合成樹脂材料（例えば無色透明）からなるフロントカバー３が設けられ、埃等の進入を防いでいる。
【００１５】
一方、表示ユニットＵの後方（背後）には、ケース（剛体）４、回路基板５、リアカバー６がそれぞれ位置している。
【００１６】
ケース４は、各指針式表示部ＰＤ１〜ＰＤ３を構成する指針１や表示ユニットＵ他を収容する、概略形状が有底枠体からなる剛体であって、遮蔽部材２、フロントカバー３、回路基板５、リアカバー６を直接的または間接的に装着するコア部品となるものである。そして、このケース４（の底部）と回路基板５との間には、指針１の動作を許容する空間部Ｓが形成されている。
【００１７】
回路基板５は、ケース４（の底部）の背後に配置される硬質の回路基板であり、その背面には例えばステッピングモータからなる駆動装置７の本体部が装着され、この駆動装置の駆動軸７１は回路基板５を貫通して前方に延び、指針１に接続されている。また回路基板５の前面であって駆動軸７１の周りには、指針１を照明するための例えば発光ダイオードからなる指針用光源８が複数個、指針１の後述する第１の反射部の回転軌道上に間隔を空けて配置されている。
【００１８】
リアカバー６は、回路基板５の背面を覆ってこれを保護するものである。
【００１９】
以上、リアカバー６、回路基板５、ケース４、指針式表示部ＰＤ１〜ＰＤ３を構成する指針１及び表示ユニットＵ、遮蔽部材２、フロントカバー１によって、コンビネーションメータが構成される。
【００２０】
次に表示ユニットＵの詳細構造について説明する。
表示ユニットＵは、表示パネル１００と、目盛板２００と、枠体３００と、導光体４００と、光源基板５００と、表示パネル用光源（光源）６００と、表示板用光源（光源）７００と、ネジ８００とで構成されている。なお各光源６００，７００は例えば発光ダイオードからなるものである。
【００２１】
表示パネル（表示部材）１００は、例えばＳＴＮ（Super Twisted Nematic）やＴＮ（Twisted Nematic）、ＴＦＴ（Thin Film Transistor）等の液晶表示パネルからなり、表示ユニットＵの中央に配置され、様々な情報（例えば外気温情報、走行距離情報、燃費情報からなる車両情報や例えばナビゲーション情報からなる交通情報）を表示する。なお表示パネル１００自体は、フロントカバー３側から見て矩形であるが、台形や円形等、任意形状のパネルを用いることができる。
【００２２】
目盛板２００は、表示パネル１００の外周に沿って配置され、指針１の支持対象となる指標部２０１（目盛や文字からなるが図１では目盛だけを示し文字は省略する）と、表示パネル１００の所要部を露出する窓部２０２とを有し、この窓部２０２から表示パネル１００が視認されることで、目盛板２００は、結果として表示パネル１００の外周に位置することになる。なお目盛板２００は、表示パネル１００を視認でき、且つ指標部２０１が表示パネル１００の外周に位置すればよく、窓部２０２に替えて透明な透視部を設けてもよい。また表示板１００自体は、例えば、指標部２０１が透過性、それ以外が遮光性に形成された通常の透過型印刷表示板が採用され、フロントカバー３側から見た外形形状は、略Ｄ字形である。
【００２３】
枠体３００は、例えば光反射性の良好な白色の合成樹脂材料からなり、フロントカバー３側から見た外形形状は、目盛板２００の形状に対応する略Ｄ字形である。この枠体３００は壁状の仕切部３０１により区画され、目盛板２００に対応する第１の照明室Ｒ１と、表示パネル１００に対応する第２の照明室Ｒ２とが形成されている。
【００２４】
第１の照明室Ｒ１は、指標部２０１の配列形状に沿った円弧形状に形成され、その前方側には目盛板２００が搭載され、また背面側には表示板用光源７００が配置され、さらに目盛板２００と表示板用光源７００との間には、導光体４００が配置されている。
【００２５】
導光体４００は、この例では第１の照明室Ｒ１に沿った円弧形状に形成され、表示板用光源７００に対応する位置には、表示板用光源７００に向けて突出する光導入部４０１と、円錐形状の放射反射部４０２が形成されている。
【００２６】
そして表示板用光源７００が点灯すると、その光は光導入部４０１を介して導光体４００内に導入され、放射反射部で放射状に反射されることで目盛板２００の板面方向に伝播し、これにより点光源を用いて指標部２０１の比較的広い範囲を照明できるようにしていると共に、表示板用光源７００から目盛板２００に至る照明経路を第１の照明室Ｒ１（仕切部３０１）で区画することにより、光の漏洩やロスを抑制することができる。
【００２７】
一方、第２の照明室Ｒ２は、この例では、前方側が幅広、その反対側が幅狭の四角錐形状に形成され、幅広となる前方側には表示パネル１００が搭載され、幅狭となる背面側には表示パネル用光源６００が配置されている。
【００２８】
そして表示パネル用光源６００が点灯すると、その光は第２の照明室Ｒ２内を繰り返し反射し、結果として点光源を用いて表示パネル１００全域を照明できるようにしている戸共に、表示パネル用光源６００から表示パネル１００に至る照明経路を第２の照明室Ｒ２（仕切部３０１）で区画することにより、光の漏洩やロスを抑制することができる。
【００２９】
光源基板５００は、その前面側に表示パネル用光源６００と表示板用光源７００とが装着されており、枠体３００の背後にネジ８００を通じて組み付け固定されることで、表示パネル用光源６００と表示板用光源７００とが各照明室Ｒ１，Ｒ２内に位置するようになっている。
【００３０】
ここで、枠体３００は、表示パネル１００、目盛板２００、導光体４００、光源基板５００（表示パネル用光源６００、表示板用光源７００）とを結合する中核部品となるものである。なお本例では、枠体３００に表示パネル１００、目盛板２００、導光体４００、光源基板５００のそれぞれをフックや両面テープ等により直接、結合したが、他の部材を通じて間接的に結合するものであってもよい。また本例では、光源基板５００と枠体３００との組み付けに際してネジ８００を用いたが、これら部品どうしの結合に限らず、固定部材、固定手段は任意の手段を採用できる。
【００３１】
以上のように構成される表示ユニットＵは、枠体３００に形成された図示しない取付部を通じてケース４に片持ち状態で取り付け固定される。
【００３２】
次に図３〜図５に基づいて指針１の詳細構造を説明する。
指針１は、第１の指針部１１と、第２の指針部１２と、第３の指針部１３と、連結部材１４と、指針カバー１５と、バランサー１６と、から構成されている。
【００３３】
第１の指針部１１は、透光性合成樹脂からなり、表示ユニットＵ（表示パネル１００）の背面側を駆動軸７１と交差（本実施形態では直交）する第１の延長方向Ｄ１に沿って延びている。
【００３４】
この第１の指針部１１は、図５にも示すように、棒状部１１１と、扇状部１１２と、ボス部１１３と、突出部１１４と、板状部１１５とを備えている。
【００３５】
棒状部１１１は、第１の延長方向Ｄ１に沿った延長軸線に沿って第２の指針部１２に連なるように延びている。
【００３６】
扇状部１１２は、前記延長軸線を中心線として且つ棒状部１１１側に要部（扇状部１１２の頂点）Ｐ１が設定されるように、第２の指針部１２側とは反対側に向けて末広がり形状に延びている。この扇状部１１２は棒状部１１１と略同じ厚みを有してボス部１１３に隣接する位置まで延び、その末広がり端部には、第１の反射部１１７を備えると共に、前記延長軸線に対して線対称となる側壁面には、一対の側方反射部１１８，１１９が形成されている。
【００３７】
第１の反射部１１７は、ボス部１１３（駆動軸７１）よりも要部Ｔ（後述する第２の反射面側）に位置し、指針１の回転に伴って回転して光源８からの光を要部Ｔ方向に反射する反射面からなる。
【００３８】
側方反射部１１８，１１９は、第１の反射部１１７にて反射した光を要部Ｔ方向に反射する反射面からなる。
【００３９】
ボス部１１３は、駆動軸７１に沿って延び、その中心には駆動軸７１と挿入接続される貫通孔が形成されている。
【００４０】
突出部１１４は、ボス部１１３を挟んで第１の反射部１１７と対向する位置から前方に突出し、その後側壁面には、指針１の回転に伴って回転して光源８からの光を要部Ｔ方向に反射する補助反射部１１４ａが形成されている。この補助反射部１１４ａは、ボス部１１３（駆動軸７１）よりも後側に位置して、要部Ｔ方向に供給される光量を補う目的で形成されている。
【００４１】
板状部１１５は、扇状部１１２から連続して突出部１１４を底部となる後方に延びており、指針カバー１５との間にバランサー１６を保持する。
【００４２】
第２の指針部１２は、第１の指針部１１に連続する一体部品からなり、表示ユニットＵ（表示パネル１００）の側方を、第１の指針部１１の先端側から連続して第１の延長方向Ｄ１と交差する（本実施形態では直交する）第２の延長方向Ｄ２に沿って延びている。
【００４３】
この第２の指針部１２と第１の指針部１１との接続部１２１となる角部の外壁面には、第１の反射部１１７を通じて第１の延長方向Ｄ１に導かれた光を第２の延長方向Ｄ２に向けて反射する第２の反射部１２２が形成されている。
なお要部Ｔと第１の反射部１１７及び第２の反射部１２２の各中心点Ｐ１，Ｐ２は第１の延長方向Ｄ１に沿った前記延長軸線上に位置しているが、これらの位置関係の詳細については後述する。
【００４４】
また第２の指針部１２の先端には、第２の反射部１２２で反射され、第２の延長方向Ｄ２に沿って導かれた光を第３の指針部１３に向けて反射する第３の反射部１２３が形成され、更にこの第３の反射部１２３と第３の指針部１３の後述する入光部との間には、第３の反射部１２３からの光を前記入光部に向けて出光させる出光部１２４が形成されている。
なお第１，第２の指針部１１，１２は、別部品から構成してもよいが、導光効率を考えると一体部品とすることが望ましい。
【００４５】
第３の指針部１３は、第１，第２の指針部１１，１２と同じ透光性合成樹脂からなり、表示ユニットＵの前面側を第２の延長方向Ｄ２と交差する第３の延長方向Ｄ３に延び、目盛板２００の指標部２０１を指示する指示部となるものである。
【００４６】
この第３の指針部１３は、その後端側に第２の指針部１２の出光部１２４からの光を入光させる入光部１３１が形成されると共に、その先端側は先細り形状に設定されている。なお本実施形態では第３の延長方向Ｄ３と第１の延長方向Ｄ１とが平行に設定されている。
【００４７】
連結部材１４は、遮光性の合成樹脂材料からなり、第２の延長方向Ｄ２に沿って第２の指針部１２を挿入する筒状の第１の挿入保持部１４１と、この第１の挿入保持部１４１と内部が部分的に連通すると共に第３の延長方向Ｄ３に沿って第３の指針部１３を挿入する第２の挿入保持部１４２とを有し、これら第１，第２の挿入保持部１４１，１４２内に第２，第３の指針部１２，１３を挿入することにより、第３の指針部１３の入光部１３１を第２の指針部１２の出光面１２４に向けた状態で、第２，第３の指針部１２，１３を連結保持する。
【００４８】
指針カバー１５は、遮光性の合成樹脂からなり、扇状部１１２、ボス部１１３、突出部１１４、板状部１１５、バランサー１６の外周を覆い、不要な光が周辺に漏れるとこを防止している。
【００４９】
バランサー１６は、金属等からなり、指針カバー１５と板状部１１５との間に挟持されている。
【００５０】
このように構成される指針１は、第１の指針部１１内に取り入れた光をまず第１の反射部１１７、補助反射部１１４ａ、側方反射部１１８，１１９を通じて第１の延長方向Ｄ１に反射導光し、次に第２の反射部１２２を通じて第２の指針部１２内を第２の延長方向Ｄ２に反射導光し、次に第３の反射部１２３を通じて第３の延長方向に反射させて出光部１２４から第３の指針部１３の入光部１３１に入射させることにより、第３の指針部１３が発光する。
【００５１】
ここで、第１の指針部１１の構造に注目すると、図５において、要部Ｔは、第１の反射部１１７の中心点Ｐ１と第２の反射部１２２の中心点Ｐ２との距離の半分よりも多くの距離分、第１の中心点Ｐ１から離間した位置に設定されている。
【００５２】
すなわち、中心点Ｐ１と、中心点Ｐ２とを結ぶ距離をＬとし、距離Ｌの半分である中間点をＭ、中間点Ｍから各中心点Ｐ１，Ｐ２までの距離をＬ１，Ｌ２、中間点から要部Ｔまでの距離をαとしたとき、要部Ｔは、Ｌ１＋α分、第１の中心点Ｐ１から離間させてある。
【００５３】
このように構成したことにより、第１の反射部１１７によって反射した光の、第２の反射部１２２に至るまで反射回数を抑えることができ、これにより第３の指針部１３への到達光量を確保することができる。
【００５４】
当該要部Ｔの位置設定は、本発明者の実験（シミュレーション）結果に基づくもので、要部Ｔの位置を距離Ｌ１以上に設定すると、第２の反射部１２３への到達光量を十分に確保し、第３の指針部１３を明るく照明することができたが、要部Ｔの位置を距離Ｌ１未満に設定すると、第２の反射部１２３への到達光量が極端に低下し、第３の指針部１３を満足のいく輝度で照明することが難しくなることがわかった。
【００５５】
これは、第１の反射部１１７から第２の反射部１２３に到達するまでの過程での反射による光損失が、要部Ｔの位置＝距離Ｌ１（中間点Ｍ）を臨界点として、大きく変化する（距離Ｌ１以上の場合の光損失は小さいが、距離Ｌ１未満の場合の光損失が大きい）ためであると推測される。
なお要部Ｔの中心点Ｐ１からの距離は、距離Ｌ１以上であればよく、最大で要部Ｔと中心点Ｐ２とを一致させることも可能である。
【００５６】
以上のように本実施形態によれば、表示ユニットＵ（表示部材）と、この表示ユニットＵの背後に配置され駆動軸７１を有する駆動装置７と、駆動軸７１に連結され表示ユニットＵに沿って軸周り回動する透光性材料からなる指針１と、この指針１を照明する光源８とを備え、指針１が、少なくとも表示ユニットＵの背面側を駆動軸７１と交差する第１の延長方向Ｄ１に延びる第１の指針部１１と、この第１の指針部１１の先端側から連続して第１の延長方向Ｄ１と交差する第２の延長方向Ｄ２に延びる第２の指針部１２と、この第２の指針部１２の先端側から第２の延長方向Ｄ２と交差する第３の延長方向Ｄ３に延び表示ユニットＵの前面側を回動する第３の指針部１３とを有し、第１の指針部１１が第１の延長方向Ｄ１に沿った延長軸線に沿って延び第２の指針部１２に連なる棒状部１１１と、前記延長軸線を中心線として且つ棒状部側が要部Ｔとなるように第２の指針部１２側とは反対側に向けて延びる扇状部１１２と、この扇状部１１２の末広がり端部に形成され光源８からの光を要部Ｔ側に反射する第１の反射部１１７を有し、第１の指針部１１と第２の指針部１２との接続部１２１に第１の反射部１１７を通じて第１の延長方向Ｄ１に導かれた光を第２の延長方向Ｄ２に向けて反射する第２の反射部１２２を設け、要部Ｔと第１の反射部１１７及び第２の反射部１２２の各中心点Ｐ１，Ｐ２が前記延長軸線上に位置してなる指針式計器において、要部Ｔを第１の反射部１１７の中心点Ｐ１と第２の反射部１２２の中心点Ｐ２との距離Ｌの半分（距離Ｌ１）以上、第１の中心点Ｐ１から離間させてなることにより、表示ユニットＵを迂回するように屈曲する指針１であっても明るく照明することができる。
【００５７】
また本実施形態によれば、第１の反射部１１７が駆動軸７１よりも第２の反射部１２２側に位置することにより、第１の反射部１１７を通じて光を先端側に導く際に駆動軸７１それ自体や、ボス部１１３のような周辺構造が障害となることを防止し、照明効率を向上させることができる。
【図面の簡単な説明】
【００５８】
【図１】本発明の一実施形態による指針式計器の正面図。
【図２】図１のＡ−Ａ断面図。
【図３】同実施形態における指針の断面図。
【図４】同実施形態において遮光性カバーを装着した状態の第１の指針部を示す正面図。
【図５】同実施形態において遮光性カバーを外した状態の第１の指針部を示す正面図。
【符号の説明】
【００５９】
１  指針
２  遮蔽部材
３  フロントカバー
４  ケース（剛体）
５  回路基板
６  リアカバー
７  駆動源
８  指針用光源
１１  第１の指針部
１２  第２の指針部
１３  第３の指針部
１４  連結部材
１５  指針カバー
１６  バランサー
４１  取付受部
４２  凹部
４３  孔部
５１，６１  貫通孔
７１  駆動軸
１００  表示パネル（表示部材）
１１１  棒状部
１１２  扇状部
１１３  ボス部
１１４  突出部
１１４ａ  補助反射部
１１５  板状部
１１７  第１の反射部
１１８，１１９  側方反射部
１２２  第２の反射部
１２３  第３の反射部
１２４  出光部
１３１  入光部
１４１  第１の挿入保持部
１４２  第２の挿入保持部
２００  表示板
２０１  指標部
２０２  窓部
３００  枠体
３０１  仕切部
３０２  取付部
３０３  孔部
４００  導光体
４０１  光導入部
４０２  放射反射部
５００  光源基板
６００  表示パネル用光源（光源）
７００  表示板用光源（光源）
８００  ネジ
９００  光源
Ｄ１  第１の延長方向
Ｄ２  第２の延長方向
Ｄ３  第３の延長方向
Ｌ，Ｌ１，Ｌ２，α  距離
Ｍ  中間点
Ｐ１  要部
Ｐ１，Ｐ２  中心点
Ｒ  照明室
Ｒ１  第１の照明室
Ｒ２  第２の照明室
Ｓ  空間部
Ｕ  表示ユニット
【図１】
2009109409.tif 000003
【図２】
2009109409.tif 000004
【図３】
2009109409.tif 000005
【図４】
2009109409.tif 000006
【図５】
2009109409.tif 000007